(57)【特許請求の範囲】
【請求項１】
公衆回線網に接続された中継装置と無線通信可能に接続される多機能通信装置と、該多機能通信装置に無線回線にて接続され、該多機能通信装置との間で無線回線通信を行う１以上の無線通信端末と、を備える通信装置であって、
前記多機能通信装置は、
前記多機能通信装置の登録情報及び前記無線通信端末の登録情報を記憶する第１記憶部と、
前記多機能通信装置が前記中継装置と無線接続されたか否かを判断する第１判断手段と、
前記第１判断手段で前記中継装置と無線接続されたと判断された場合、前記無線通信端末の登録情報を取得する取得手段と、
前記取得手段により取得した前記無線通信端末の登録情報を前記中継装置へ送信する第１送信手段と、
前記中継装置の登録情報を受信する第１受信手段と、
前記第１受信手段により受信した前記中継装置の登録情報を、前記第１記憶部に記憶されている前記多機能通信装置の登録情報とともに、前記第１記憶部に記憶されている前記無線通信端末の登録情報に対応する無線通信端末へ送信する第２送信手段と、
を備え、
前記無線通信端末は、
前記多機能通信装置の登録情報及び前記無線通信端末の登録情報を記憶する第２記憶部と、
前記第２記憶部に記憶されている前記多機能通信装置の登録情報に対応する多機能通信装置から前記中継装置の登録情報を受信する第２受信手段と、
前記第２受信手段により受信した前記中継装置の登録情報を前記第２記憶部に記憶する第２記憶制御手段と、
前記無線回線を介して前記中継装置から所定の信号を受信する第３受信手段と、
前記第３受信手段により受信した前記信号に、前記第２記憶部に記憶されている前記中継装置の登録情報及び前記無線通信端末の登録情報が含まれているかを判断する第２判断手段と、
前記第２判断手段により前記第２記憶部に記憶されている前記中継装置の登録情報及び前記無線通信端末の登録情報が前記信号に含まれていると判断された場合に、前記無線通信端末と前記中継装置とが前記無線回線通信可能に接続された旨の情報を記憶する第３記憶制御手段と、
を備えることを特徴とする通信装置。
【請求項２】
前記多機能通信装置は、前記通信装置を前記中継装置と無線通信可能に接続する接続処理の実行の有無を受け付ける受付手段をさらに備え、
前記多機能通信装置の前記第１送信手段は、前記受付手段で前記接続処理の実行が受け付けられることを条件として、前記接続処理の開始指示を前記中継装置へ送信し、前記開始指示の送信後に前記無線通信端末の登録情報を前記中継装置へ送信し、
前記多機能通信装置の前記第２送信手段は、前記受付手段で前記接続処理の実行が受け付けられることを条件として、前記接続処理の開始指示を前記無線通信端末へ送信し、前記開始指示の送信後に前記中継装置の登録情報を前記無線通信端末へ送信することを特徴とする請求項１に記載の通信装置。
【請求項３】
前記無線通信端末は、
前記第２記憶部に記憶されている前記無線通信端末の登録情報を前記多機能通信装置へ送信する第３送信手段をさらに備え、
前記無線通信端末の前記第２記憶制御手段は、前記第２受信手段により受信した前記中継装置の登録情報と、前記多機能通信装置の登録情報及び前記無線端末装置の登録情報とを前記第２記憶部に記憶し、前記第３送信手段によって前記無線通信端末の登録情報が前記多機能通信装置へ送信されたことを条件として、前記無線回線通信による前記無線通信端末の通信先を示す第２通信先情報を前記多機能通信装置から前記中継装置に変更することを特徴とする請求項１または２に記載の通信装置。
【請求項４】
前記多機能通信装置は、
前記取得手段によって前記無線通信端末の登録情報が取得されたことを条件として、前記無線回線通信による前記無線通信端末の通信先を示す第１通信先情報を前記多機能通信装置から前記中継装置に変更する第１記憶制御手段をさらに備えることを特徴とする請求項１ないし３の何れか１項に記載の通信装置。
【請求項５】
前記多機能通信装置は、
前記多機能通信装置が前記中継装置とは異なる通信先に接続されているか否かを判断する第３判断手段と、
前記第３判断手段で前記多機能通信装置が前記中継装置とは異なる通信先に接続されていると判断される場合に、前記無線通信端末の通信先を前記多機能通信装置に復帰させる復帰処理を実行させる復帰指示を前記中継装置へ送信する復帰指示送信手段と、
通信先を前記多機能通信装置に復帰させる対象の前記無線通信端末が存在する旨の情報を前記中継装置から受信したか否かを判断する第４判断手段と、
前記第４判断手段で復帰させる対象の前記無線通信端末が存在すると判断された場合には、前記第１記憶部に記憶された前記多機能通信装置の登録情報及び前記無線通信端末の登録情報を含む信号を前記無線回線を介して前記無線通信端末へ送信する信号送信手段と、
をさらに備えることを特徴とする請求項１ないし４の何れか１項に記載の通信装置。
【請求項６】
前記第２判断手段により前記第２記憶部に記憶された前記多機能通信装置の登録情報及び前記無線通信端末の登録情報が前記信号に含まれていると判断されることを条件として、前記無線通信端末と前記多機能通信装置とを、前記無線回線通信可能に接続することを特徴とする請求項５に記載の通信装置。
【請求項７】
前記多機能通信装置は、
前記第４判断手段で復帰対象の前記無線通信端末が存在する旨の情報を前記中継装置から受信したと判断されることを条件として、前記無線回線通信による前記無線通信端末の通信先を示す第１通信先情報を前記中継装置から前記多機能通信装置に変更する第４記憶制御手段をさらに備えることを特徴とする請求項５または６に記載の通信装置。
【請求項８】
前記無線通信端末は、前記無線通信端末の通信先を前記中継装置から前記多機能通信装置に変更させる変更指示を前記中継装置から受信する変更指示受信手段をさらに備え、
前記無線通信端末の前記第２記憶制御手段は、前記変更指示受信手段によって前記変更指示が前記中継装置から受信されたことを条件として、前記無線回線通信による前記無線通信端末の通信先を示す第２通信先情報を前記中継装置から前記多機能通信装置に変更することを特徴とする請求項５ないし７の何れか１項に記載の通信装置。
【請求項９】
公衆回線網に接続され、１以上の無線通信端末と、該１以上の無線通信端末と無線回線にて接続される多機能通信装置とから構成される通信装置と無線通信が可能に接続される中継装置であって、
前記中継装置の登録情報を記憶し、前記１以上の無線通信端末の登録情報を記憶可能な第３記憶部と、
前記第３記憶部に記憶されている前記中継装置の登録情報を前記多機能通信装置へ送信する第４送信手段と、
前記１以上の無線通信端末の登録情報を前記多機能通信装置から受信する第４受信手段と、
前記第４受信手段により受信した前記１以上の無線通信端末の登録情報を前記第３記憶部に記憶する第５記憶制御手段と、
前記第３記憶部に記憶されている前記中継装置の登録情報及び前記１以上の無線通信端末の登録情報を含む信号を、前記１以上の無線通信端末の登録情報に対応する無線通信端末へ、前記無線回線を介して送信する第５送信手段と、
を備えることを特徴とする中継装置。
【請求項１０】
前記通信装置を前記中継装置と無線通信可能に接続する接続処理の開始指示を前記多機能通信装置から受信する開始指示受信手段をさらに備え、
前記第４受信手段は、前記開始指示受信手段により前記開始指示を受信することを条件として、前記無線通信端末の登録情報を前記多機能通信装置から受信し、
前記第５送信手段は、前記開始指示受信手段により前記開始指示を受信することを条件として、前記中継装置の登録情報を前記多機能通信装置へ送信することを特徴とする請求項９に記載の中継装置。
【請求項１１】
前記中継装置は、複数の無線通信端末と無線回線にて接続可能であり、
前記第３記憶部は、前記複数の無線通信端末のうち前記第４受信手段により受信した前記無線通信端末の登録情報に対応する無線通信端末とは異なる無線通信端末の登録情報が記憶されている第１領域と、前記第４受信手段により受信した前記無線通信端末の登録情報が記憶されている第２領域とを備え、
前記第５送信手段は、前記多機能通信装置が前記中継装置に接続されている場合には、前記第２領域に記憶されている前記１以上の無線通信端末の登録情報に対応する無線通信端末へ前記信号を送信することを特徴とする請求項９または１０に記載の中継装置。
【請求項１２】
前記第４受信手段により受信した前記無線通信端末の登録情報に対応する無線通信端末の通信先を前記多機能通信装置に復帰させる復帰処理を実行させる復帰指示を前記多機能通信装置から受信する復帰指示受信手段と、
前記第２領域に前記第４受信手段により受信した無線通信端末の登録情報が記憶されているか否かを判断する第５判断手段と、
前記第５判断手段で前記第４受信手段により受信した無線通信端末の登録情報が記憶されていると判断された場合には、前記復帰処理の対象となる前記第４受信手段により受信した前記無線通信端末の登録情報に対応する無線通信端末が存在する旨の情報を前記多機能通信装置へ送信するとともに、前記第４受信手段により受信した前記無線通信端末の登録情報に対応する無線通信端末の通信先を前記中継装置から前記多機能通信装置に変更させる変更指示を、前記第４受信手段により受信した前記無線通信端末の登録情報に対応する無線通信端末へ送信する変更指示送信手段と、
を備えることを特徴とする請求項１１に記載の中継装置。
【請求項１３】
公衆回線網に接続された中継装置と、前記中継装置と無線通信可能に接続される多機能通信装置と、該多機能通信装置に無線回線にて接続され、該多機能通信装置との間で無線回線通信を行う１以上の無線通信端末と、を備える通信システムであって、
前記多機能通信装置は、
前記多機能通信装置の登録情報及び前記無線通信端末の登録情報を記憶する第１記憶部と、
前記多機能通信装置が前記中継装置と無線接続されたか否かを判断する第１判断手段と、
前記判断手段で前記中継装置と無線接続されたと判断された場合、前記無線通信端末の登録情報を取得する取得手段と、
前記取得手段により取得した前記無線通信端末の登録情報を前記中継装置へ送信する第１送信手段と、
前記中継装置の登録情報を受信する第１受信手段と、
前記第１受信手段により受信した前記中継装置の登録情報を、前記第１記憶部に記憶されている前記多機能通信装置の登録情報とともに、前記第１記憶部に記憶されている前記無線通信端末の登録情報に対応する前記無線通信端末へ送信する第２送信手段と、
を備え、
前記無線通信端末は、
前記多機能通信装置の登録情報及び前記無線通信端末の登録情報を記憶する第２記憶部と、
前記第２記憶部に記憶されている前記多機能通信装置の登録情報に対応する多機能通信装置から前記中継装置の登録情報を受信する第２受信手段と、
前記第２受信手段により受信した前記中継装置の登録情報を前記第２記憶部に記憶する第２記憶制御手段と、
前記無線回線を介して前記中継装置から所定の信号を受信する第３受信手段と、
前記第３受信手段により受信した前記信号に、前記第２記憶部に記憶されている前記中継装置の登録情報及び前記無線通信端末の登録情報が含まれているかを判断する第２判断手段と、
前記第２判断手段により前記第２記憶部に記憶されている前記中継装置の登録情報及び前記無線通信端末の登録情報が前記信号に含まれていると判断された場合に、前記無線通信端末と前記中継装置とが前記無線回線通信可能に接続された旨の情報を記憶する第３記憶制御手段と、を備え、
前記中継装置は、
前記中継装置の登録情報を記憶し、前記無線通信端末の登録情報を記憶可能な第３記憶部と、
前記第３記憶部に記憶されている前記中継装置の登録情報を前記多機能通信装置へ送信する第４送信手段と、
前記無線通信端末の登録情報を前記多機能通信装置から受信する第４受信手段と、
前記第４受信手段により受信した前記無線通信端末の登録情報を前記第３記憶部に記憶する第５記憶制御手段と、
前記第３記憶部に記憶されている前記中継装置の登録情報及び前記無線通信端末の登録情報を含む信号を、前記無線通信端末の登録情報に対応する無線通信端末へ、前記無線回線を介して送信する第５送信手段と、
を備えることを特徴とする通信システム。
【発明の詳細な説明】
【技術分野】
【０００１】
本願は、無線通信端末の通信を容易に確立することが可能な通信装置等に関するものである。
【背景技術】
【０００２】
特許文献１には、公衆回線網に接続され他のファクシミリ装置との通信を担う中継通信装置と、画像の入出力を担う画像処理装置とを、電源を投入するだけで無線接続することが可能な画像伝送システムが記載されている。また近年、電話機能を搭載した画像処理装置が用いられている。このような画像処理装置は、無線回線によりコードレス子機と接続されている。そして、コードレス子機を用いて音声通話が可能に構成されている。
【先行技術文献】
【特許文献】
【０００３】
【特許文献１】特開２０１０−２３９４５０号公報
【発明の概要】
【発明が解決しようとする課題】
【０００４】
このようなコードレス子機を備えた画像処理装置に特許文献１の技術を適用した場合、電源を投入するだけで、画像処理装置と中継通信装置との間の無線接続が確立される。しかし、コードレス子機と中継通信装置との間の無線接続を確立する技術については、特許文献１に開示がない。この場合、画像処理装置に備えられているコードレス子機を使用可能にするために、コードレス子機と中継通信装置との間で、互いの登録情報を登録する処理などを実行する必要が生じる。すると、登録作業に時間や手間がかかるという問題があった。本明細書では、このような不便性を解消することができる技術を提供する。
【課題を解決するための手段】
【０００５】
本願の通信装置は、公衆回線網に接続された中継装置と無線通信可能に接続される多機能通信装置と、該多機能通信装置に無線回線にて接続され、該多機能通信装置との間で無線回線通信を行う１以上の無線通信端末と、を備える通信装置であって、多機能通信装置は、多機能通信装置の登録情報及び無線通信端末の登録情報を記憶する第１記憶部と、多機能通信装置が中継装置と無線接続されたか否かを判断する第１判断手段と、第１判断手段で中継装置と無線接続されたと判断された場合、無線通信端末の登録情報を取得する取得手段と、取得手段により取得した無線通信端末の登録情報を中継装置へ送信する第１送信手段と、中継装置の登録情報を受信する第１受信手段と、第１受信手段により受信した中継装置の登録情報を、第１記憶部に記憶されている多機能通信装置の登録情報とともに、無線通信端末へ送信する第２送信手段と、を備える。無線通信端末は、多機能通信装置の登録情報及び無線通信端末の登録情報を記憶する第２記憶部と、中継装置の登録情報を多機能通信装置から受信する第２受信手段と、第２受信手段により受信した中継装置の登録情報を第２記憶部に記憶する第２記憶制御手段と、無線回線を介して中継装置から所定の信号を受信する第３受信手段と、第３受信手段により受信した信号に、第２記憶部に記憶されている中継装置の登録情報及び無線通信端末の登録情報が含まれているかを判断する第２判断手段と、第２判断手段により第２記憶部に記憶されている中継装置の登録情報及び無線通信端末の登録情報が信号に含まれていると判断された場合に、無線通信端末と中継装置とが無線回線通信可能に接続された旨の情報を記憶する第３記憶制御手段と、を備えることを特徴とする。
【０００６】
本願の通信装置では、多機能通信装置の第１送信手段によって、無線通信端末の登録情報を中継装置へ送信することができる。また、多機能通信装置の第２送信手段によって、中継装置の登録情報を無線通信端末へ送信することができる。すなわち、多機能通信装置を介して、中継装置と無線通信端末との間で、登録情報を交換することができる。これにより、交換した登録情報を用いて、中継装置と無線通信端末との間の通信を確立することができる。以上より、中継装置と無線通信端末との間で通信を行うために互いの登録情報を登録する登録処理を、容易に実行することが可能となる。
【０００７】
また、請求項２の通信装置では、通信装置を中継装置と無線回線通信可能に接続する接続処理を実行する旨を受け付けることに応じて、中継装置と無線通信端末との間で通信を行うための登録処理を実行する。よって、通信装置を中継装置に接続する処理を実行する際に、無線通信端末と中継装置との間の通信を自動で確立することが可能となる。
【０００８】
また、請求項３の通信装置では、中継装置の登録情報と、多機能通信装置の登録情報及び無線端末装置の登録情報とが第２記憶部に記憶されており、無線通信端末の登録情報が多機能通信装置へ送信されたことを条件として、無線通信端末の通信先を示す第２通信先情報を中継装置に設定する。これにより、無線端末装置に中継装置の登録情報及び多機能通信装置の登録情報が記憶されている場合であっても、無線通信端末の通信先が中継装置であることを、無線通信端末において、容易に認識することが可能となる。
【０００９】
また、請求項４の通信装置では、無線通信端末の登録情報が中継装置へ送信されたことを条件として、無線回線通信による無線通信端末の通信先を示す第１通信先情報の内容を中継装置に設定する。これにより、無線通信端末の通信先が中継装置であることを、多機能通信装置において、容易に認識することが可能となる。
【００１０】
また、請求項５の通信装置では、多機能通信装置が中継装置とは異なる通信先に接続されている場合に、通信先を多機能通信装置に復帰させる対象の無線通信端末が存在すると判断されることに応じて、多機能通信装置と無線通信端末との間の通信を復帰させる。よって、無線通信端末が多機能通信装置を介して外部と通信することが可能となった場合には、無線通信端末と多機能通信装置との間の通信を自動で復帰させることが可能となる。
【００１１】
また、請求項６の通信装置では、多機能通信装置の登録情報及び無線通信端末の登録情報を含む信号（例：ビーコン信号）を多機能通信装置から受信することで、多機能通信装置と無線通信端末との通信を確立することが可能となる。
【００１２】
また、請求項７の通信装置では、通信先を多機能通信装置に復帰させる対象の無線通信端末が存在すると判断されることに応じて、第１通信先情報の内容を多機能通信装置に復帰させる。これにより、無線通信端末の通信先が多機能通信装置に復帰したことを、多機能通信装置において、容易に認識することが可能となる。
【００１３】
また、請求項８の通信装置では、無線通信端末の通信先が多機能通信装置に設定されることに応じて、第２通信先情報の内容を多機能通信装置に復帰させる。これにより、無線通信端末の通信先が多機能通信装置に復帰したことを、無線通信端末において、容易に認識することが可能となる。
【００１４】
また、請求項９の中継装置では、第５送信手段によって、中継装置の登録情報を含む信号を、１以上の無線通信端末へ送信することができる。これにより、中継装置と無線通信端末との間の通信を確立することができる。よって、中継装置と無線通信端末との間で通信を行うための登録処理を、容易に実行することが可能となる。
【００１５】
また、請求項１０の中継装置では、通信装置を中継装置と無線回線通信可能に接続する接続処理の開始指示を受信することに応じて、中継装置と無線通信端末との間で通信を行うための登録処理を実行する。よって、通信装置を中継装置に接続する処理を実行する際に、無線通信端末と中継装置との間の通信を自動で確立することが可能となる。
【００１６】
また、請求項１１の中継装置では、第４受信手段により受信した無線通信端末の登録情報とそれ以外の無線通信端末の登録情報とを、選択可能に第３記憶部に記憶させることができる。これにより、例えば、第４受信手段により受信した無線通信端末の登録情報を第３記憶部に記憶する際に、それ以外の無線通信端末の登録情報が削除されてしまうことが防止できる。よって、多機能通信装置が中継装置に接続されている状態と、多機能通信装置が中継装置とは異なる通信先に接続されている状態とが切り替えられる場合においても、中継装置と接続される無線通信端末を適切に識別することが可能となる。
【００１７】
また、請求項１２の中継装置では、第４受信手段により受信した無線通信端末の登録情報に対応する無線通信端末の通信先を多機能通信装置に復帰させる復帰処理を実行する旨の復帰指示を受信した場合において、復帰処理の対象となる無線通信端末が存在する場合には、多機能通信装置と復帰対象の無線通信端末との間の通信を復帰させる。よって、復帰対象の無線通信端末が多機能通信装置を介して外部と通信することが可能となった場合には、復帰対象の無線通信端末と多機能通信装置との間の通信を自動で復帰させることが可能となる。
【図面の簡単な説明】
【００１８】
【図１】通信システムのブロック図である。
【図２】通信システムのブロック図である。
【図３】ＭＦＰの動作フロー図である。
【図４】ＭＦＰの動作フロー図である。
【図５】ＢＯＸの動作フロー図である。
【図６】第２子機の動作フロー図である。
【図７】ＢＯＸテーブルの一例を示す図である。
【図８】第１子機テーブルの一例を示す図である。
【図９】ＭＦＰテーブルの一例を示す図である。
【図１０】第２子機テーブルの一例を示す図である。
【図１１】ＭＦＰシステムおよびＤＣＰシステムのブロック図である。
【図１２】通信システムのブロック図である。
【図１３】ＭＦＰの動作フロー図である。
【図１４】ＢＯＸの動作フロー図である。
【図１５】第２子機の動作フロー図である。
【発明を実施するための形態】
【００１９】
図１および図２に、本願に係る実施例として例示される通信システム１のブロック図を示す。図１はＭＦＰシステム２を示しており、図２はＤＣＰシステム３を示している。図１および図２によって、通信システム１が示されている。通信システム１は、ＭＦＰシステム２とＤＣＰシステム３とを備えている。
【００２０】
ＭＦＰシステム２の構成について説明する。ＭＦＰシステム２は、多機能周辺装置（以下「ＭＦＰ」と称す）１０と、第２子機６０を備える。ＭＦＰ１０は、ファクシミリ機能、プリンタ機能、スキャナ機能、コピー機能、などを備える。また、ＭＦＰ１０とＢＯＸ３１とは、アドホックモードの無線ＬＡＮ接続方式（以下「ＷＬＡＮ」と称す）により、ＷＬＡＮ２０２を用いたＴＣＰ／ＩＰ通信を直接に行うことが可能とされる。
【００２１】
ＭＦＰ１０の構成について説明する。ＭＦＰ１０は、ＣＰＵ１１、ＲＯＭ１２、ＲＡＭ１３、ＥＥＰＲＯＭ１４、無線ＬＡＮ送受信部１５、無線ＬＡＮアンテナ部１６、ボタン入力部１７、パネル１８、プリンタ１９、スキャナ２０、モデム２３、電話回線接続部２４、モジュラー２４ａ、ＤＣＬ（Digital Cordless）送受信部２５、ＤＣＬアンテナ部２６、を主に備えている。これらの構成要素は、入出力ポート２２を介して互いに通信可能に接続されている。
【００２２】
ＣＰＵ１１は、ＲＯＭ１２等に記憶されるプログラムや、無線ＬＡＮ送受信部１５を介して送受信される各種信号などに従って、各機能の制御を行う。ＲＯＭ１２は、ＭＦＰ１０で実行される制御プログラムなどを格納した書換不能なメモリであり、各種のプログラムが格納されている。ＲＡＭ１３は、書換可能な揮発性のメモリである。ＥＥＰＲＯＭ１４は、書換可能な不揮発性のメモリである。
【００２３】
ＥＥＰＲＯＭ１４には、ＭＦＰテーブルＴＢ４および拒否リスト２７が記憶されている。図９に、ＭＦＰテーブルＴＢ４の一例を示す。ＭＦＰテーブルＴＢ４は、使用フラグ３４０、子機ＩＤ番号３４１、子機ＩＤ３４２、ＭＦＰ−ＩＤ３４４を記憶する。子機ＩＤ番号３４１は、子機ＩＤ３４２の各々を識別するための連続する番号である。図９の例では、子機ＩＤ番号３４１は「１」〜「８」まで存在する。そして、子機ＩＤ番号３４１の「１」〜「４」の欄までが、デフォルト領域３４５とされる。また、子機ＩＤ番号３４１の「５」〜「８」の欄までが、拡張領域３４６とされる。使用フラグ３４０は、デフォルト領域３４５と拡張領域３４６との何れの領域を使用するかを特定するための情報である。子機ＩＤ３４２は、ＤＣＬ２０４を用いた通信を行う通信先の子機を特定するための情報である。ＭＦＰ−ＩＤ３４４は、自機であるＭＦＰ１０を特定するための情報である。
【００２４】
後述する通常モード（ＭＦＰシステム２をＤＣＰシステム３へ増設しない状態）の場合には、使用フラグ３４０が、デフォルト領域３４５＝使用、拡張領域３４６＝不使用、に設定される。これにより、デフォルト領域３４５の子機ＩＤ番号３４１＝「１」〜「４」に記憶されている子機ＩＤ３４２で特定される子機が、ＤＣＬ回線を用いたＭＦＰ１０の通信先とされる。また、後述する拡張モード（ＭＦＰシステム２をＤＣＰシステム３へ増設した状態）の場合には、使用フラグ３４０が、デフォルト領域３４５＝不使用、拡張領域３４６＝使用、に設定される。これにより、拡張領域３４６の子機ＩＤ番号３４１＝「５」〜「８」に記憶されている子機ＩＤ３４２で特定される子機が、ＤＣＬ回線を用いたＭＦＰ１０の通信先とされる。
【００２５】
拒否リスト２７は、第２子機６０での着信を拒否する発呼者のリストである。例えば、ＭＦＰ１０がナンバーディスプレイを有している場合には、拒否リスト２７には、着信を拒否したい相手の電話番号が記憶される。
【００２６】
無線ＬＡＮ送受信部１５は、無線ＬＡＮアンテナ部１６を介して、アドホックモードのＷＬＡＮ２０２を用いた通信を行う。そして、無線ＬＡＮ送受信部１５により、各種のデータを構成するデータ信号が送受信される。ボタン入力部１７は、ＭＦＰ１０の各機能を実行するためのキーである。パネル１８は、ＭＦＰ１０の各種機能情報を表示する。プリンタ１９は、印刷を実行する部位である。スキャナ２０は、読み取りを実行する部位である。
【００２７】
モデム２３は、ファクシミリ機能によって送信する原稿データを、電話回線４７に伝送可能な信号に変調して電話回線接続部２４を介して送信したり、電話回線４７から電話回線接続部２４を介して入力された信号を受信し、原稿データへ復調するものである。
【００２８】
ＭＦＰ１０は、無線ＬＡＮアンテナ部１６およびＤＣＬアンテナ部２６を備える。これらは、２．４（ＧＨｚ）帯の同一周波数帯を使用する装置である。無線ＬＡＮ送受信部１５は、アドホックモードのＷＬＡＮ２０２を用いた通信を、ＢＯＸ３１との間で行う。これにより、ＢＯＸ３１によって、ＭＦＰ１０と電話回線４７との間のデータ信号の中継が行われる。ＤＣＬ送受信部２５は、ＤＣＬアンテナ部２６を介して、第２子機６０とＤＣＬ２０３を用いた音声信号の通信を行う。これにより、第２子機６０と、電話回線４７との間の音声信号の中継が行われる。
【００２９】
データ信号は、通信エラー時に再送可能な信号である。よってデータ信号の通信に用いられるＷＬＡＮ２０２では、リアルタイム性が要求されない。一方、音声信号は、通信エラー時に再送することが出来ない信号である。よって音声信号の通信に用いられるＤＣＬ２０３では、リアルタイム性が必要とされる。
【００３０】
第２子機６０の構成について説明する。第２子機６０は、ＥＥＰＲＯＭ６１、ＣＰＵ６２、ＲＯＭ６３、ボタン入力部６８、パネル６９、ＤＣＬ送受信部６５、ＤＣＬアンテナ部６６、ＲＡＭ６７、入出力ポート６４、を主に備えている。ＥＥＰＲＯＭ６１には、第２子機テーブルＴＢ２が記憶されている。図１０に、第２子機テーブルＴＢ２の一例を示す。第２子機テーブルＴＢ２は、使用フラグ３２０、親機ＩＤ番号３２１、親機ＩＤ３２２、第２子機ＩＤ３２４を記憶する。図１０の例では、親機ＩＤ番号３２１の「１」の欄がデフォルト領域３２５とされ、親機ＩＤ番号３２１の「２」の欄が拡張領域３２６とされる。使用フラグ３２０は、デフォルト領域３２５と拡張領域３２６との何れの領域を使用するかを特定するための情報である。親機ＩＤ３２２は、第２子機６０の通信先（親機）を特定するための情報である。第２子機ＩＤ３２４は、自機である第２子機６０を特定するための情報である。なお、使用フラグ３２０の設定方法は、ＭＦＰテーブルＴＢ４（図９）の使用フラグ３４０の設定方法と同様であるため、ここでは詳細な説明は省略する。また、第２子機６０のその他の構成は、上述したＭＦＰ１０の構成と同様であるため、説明を省略する。
【００３１】
ＤＣＰシステム３の構成について説明する。ＤＣＰシステム３は、回線制御装置（以下「ＢＯＸ」と称す）３１と、画像形成装置（以下「ＤＣＰ」と称す）１１０と、第１子機６０ａを備える。ＢＯＸ３１は、電話回線４７を使用した通信の制御を行う通信装置である。ＤＣＰ１１０は、プリンタ機能、スキャナ機能等を備えているが、外部と通信を行う機能（ファクシミリ機能など）は備えていない。また、ＤＣＰ１１０とＢＯＸ３１とは、ＷＬＡＮ２０５を用いたＴＣＰ／ＩＰ通信を直接に行うことが可能とされる。なお、ＤＣＰ１１０のその他の構成は、上述したＭＦＰ１０の構成と同様であるため、ここでは詳細な説明は省略する。
【００３２】
ＢＯＸ３１の構成について説明する。ＢＯＸ３１は、ＣＰＵ３２、ＲＯＭ３３、ＲＡＭ３４、ＥＥＰＲＯＭ３５、無線ＬＡＮ送受信部３６、無線ＬＡＮアンテナ部３７、ボタン入力部３８、パネル３９、モデム４０、電話回線接続部４１、モジュラー４１ａ、ＤＣＬ送受信部４５、ＤＣＬアンテナ部４６を主に備えている。モデム４０は、電話回線接続部４１、モジュラー４１ａおよび電話回線４７を介して、電話回線網１００に接続されている。ＤＣＬアンテナ部４６は、第１子機６０ａとＤＣＬ２０３ａを用いた通信を行う。
【００３３】
ＥＥＰＲＯＭ３５には、ＢＯＸテーブルＴＢ３および拒否リスト４２が記憶されている。図７に、ＢＯＸテーブルＴＢ３の一例を示す。ＢＯＸテーブルＴＢ３は、使用フラグ３３０、子機ＩＤ番号３３１、子機ＩＤ３３２、ＢＯＸ−ＩＤ３３４を記憶する。子機ＩＤ番号３３１は、子機ＩＤ３３２の各々を識別するための連続する番号である。図７の例では、子機ＩＤ番号３３１の「１」〜「４」の欄までがデフォルト領域３３５とされ、子機ＩＤ番号３３１の「５」〜「８」の欄までが拡張領域３３６とされる。使用フラグ３３０は、デフォルト領域３３５と拡張領域３３６との何れの領域を使用するかを特定するための情報である。子機ＩＤ３３２は、ＤＣＬアンテナ部２６を用いた通信を行う通信先の子機を特定するための情報である。ＢＯＸ−ＩＤ３３４は、自機であるＢＯＸ３１を特定するための情報である。なお、使用フラグ３３０の設定方法は、ＭＦＰテーブルＴＢ４（図９）の使用フラグ３４０の設定方法と同様であるため、ここでは詳細な説明は省略する。また、ＢＯＸ３１のその他の構成は、上述したＭＦＰ１０の構成と同様であるため、ここでは詳細な説明は省略する。
【００３４】
第１子機６０ａの構成について説明する。第１子機６０ａは、第１子機テーブルＴＢ１を備えている。図８に、第１子機テーブルＴＢ１の一例を示す。第１子機テーブルＴＢ１は、使用フラグ３１０、親機ＩＤ番号３１１、親機ＩＤ３１２、第１子機ＩＤ３１４を記憶する。第１子機ＩＤ３１４は、自機である第１子機６０ａを特定するための情報である。なお、第１子機テーブルＴＢ１のその他のパラメータは、上述した第２子機テーブルＴＢ２の対応するパラメータと同様であるため、説明を省略する。また、第１子機６０ａのその他の構成は、上述した第２子機６０の構成と同様であるため、説明を省略する。
【００３５】
＜増設実行時の動作＞
例として、ＤＣＰシステム３にＭＦＰシステム２を増設することで、通信システム１を形成する場合の動作を説明する。図１１を用いて、ＭＦＰシステム２の増設前（通常モード）における、ＭＦＰシステム２およびＤＣＰシステム３の構成および動作を説明する。ＤＣＰシステム３において、ＢＯＸテーブルＴＢ３（図７）では、使用フラグ３３０が、デフォルト領域３３５＝使用、拡張領域３３６＝不使用、に設定されている。また、第１子機テーブルＴＢ１（図８）では、使用フラグ３１０が、デフォルト領域３１５＝使用、拡張領域３１６＝不使用、に設定される。これにより、ＢＯＸ３１とＤＣＰ１１０とは、ＷＬＡＮ２０５によってデータ信号の通信が可能とされている。また、ＢＯＸ３１と第１子機６０ａとは、ＤＣＬ２０３ａによって音声信号の通信が可能とされている。また、ＭＦＰシステム２において、ＭＦＰテーブルＴＢ４（図９）では、使用フラグ３４０が、デフォルト領域３４５＝使用、拡張領域３４６＝不使用、に設定されている。また、第２子機テーブルＴＢ２（図１０）では、使用フラグ３２０が、デフォルト領域３２５＝使用、拡張領域３２６＝不使用、に設定される。これにより、ＭＦＰ１０と第２子機６０とは、ＤＣＬ２０４によって音声信号の通信が可能とされている。
【００３６】
＜ＭＦＰ１０の動作＞
図１１に示すＤＣＰシステム３に、ＭＦＰシステム２を増設する場合の動作を、以下に説明する。本実施形態の説明例では、ＭＦＰ１０のモジュラー２４ａに電話回線４７が接続されない場合を説明する。ＭＦＰ１０での動作を、図３および図４のフローを用いて説明する。図３および図４のフローは、ＭＦＰ１０に電源が投入されている期間中に、繰り返し実行されるフローである。Ｓ１１１において、ＣＰＵ１１は、電話回線接続部２４が電話回線網１００に接続されているか否かを判断する。接続されている場合（Ｓ１１１：ＹＥＳ）にはＳ１４５（図４）へ進み、接続されていない場合（Ｓ１１１：ＮＯ）にはＳ１１２へ進む。Ｓ１１２においてＣＰＵ１１は、ＭＦＰテーブルＴＢ４（図９）において、拡張領域３４６の使用フラグ３４０が「使用」とされているか否かを判断する。「使用」である場合（Ｓ１１２：ＹＥＳ）にはＳ１４５（図４）へ進み、「不使用」である場合（Ｓ１１２：ＮＯ）にはＳ１１３へ進む。Ｓ１１３において、ＣＰＵ１１は、ＭＦＰシステム２をＤＣＰシステム３に増設するか否か（すなわち、ＷＬＡＮ２０２を介してＭＦＰ１０をＢＯＸ３１へ接続するか否か）の確認メッセージを、パネル１８に表示する。
【００３７】
Ｓ１１５において、ＣＰＵ１１は、ＭＦＰ１０をＢＯＸ３１と接続する旨の命令入力を受け付けたか否かを判断する。具体的には、ユーザがボタン入力部１７を操作して、接続命令を入力したか否かを判断する。接続命令が入力されない場合（Ｓ１１５：ＮＯ）にはＳ１４５（図４）へ進み、接続命令が入力された場合（Ｓ１１５：ＹＥＳ）にはＳ１１７へ進む。Ｓ１１７において、ＣＰＵ１１は、ＢＯＸ３１のボタン入力部３８に備えられている確認ボタンを押下する指示を、パネル１８に表示する。Ｓ１１９において、ＣＰＵ１１は、内部タイマを所定時間にセットする。所定時間は任意の時間でよく、例えば１０（秒）にセットされてもよい。
【００３８】
Ｓ１２１において、ＣＰＵ１１は、ＢＯＸ３１から送信された接続要求を受信したか否かを判断する。なお、接続要求はブロードキャストで送信されるとしてもよい。接続要求を受信していない場合（Ｓ１２１：ＮＯ）にはＳ１２３へ進み、内部タイマがタイムアウトしたか否かを判断する。タイムアウトしていない場合（Ｓ１２３：ＮＯ）にはＳ１２１へ戻り、タイムアウトした場合（Ｓ１２３：ＹＥＳ）にはＳ１４５（図４）へ進む。一方、Ｓ１２１において、接続要求を受信した場合（Ｓ１２１：ＹＥＳ）には、Ｓ１２５（図４）へ進む。
【００３９】
Ｓ１２５において、ＣＰＵ１１は、ＢＯＸ３１へＡＣＫ信号を送信する。これにより、接続要求を正常に受信した旨、および、接続処理を開始する旨を、ＢＯＸ３１へ報知することができる。Ｓ１２７においてＣＰＵ１１は、ＤＣＬ２０４を介して、接続処理の開始指示を第２子機６０へ送信する。
【００４０】
Ｓ１３１において、ＣＰＵ１１は、ＢＯＸ３１から送信されるＢＯＸ−ＩＤ３３４を受信したか否かを判断する。受信していない場合（Ｓ１３１：ＮＯ）にはＳ１３１へ戻り待機し、受信した場合（Ｓ１３１：ＹＥＳ）にはＳ１３５へ進む。Ｓ１３５においてＣＰＵ１１は、ＢＯＸ３１から受信したＢＯＸ−ＩＤ３３４を、ＤＣＬ２０４を介して第２子機６０へ送信する。具体的に、ＣＰＵ１１は、ＭＦＰテーブルＴＢ４のデフォルト領域３４５に記憶されている子機ＩＤ３４２およびＭＦＰ−ＩＤ３４４を、ＢＯＸ−ＩＤ３３４とともに、デフォルト領域３４５に記憶されている子機ＩＤ３４２に対応する子機へ送信する。
【００４１】
Ｓ１３７においてＣＰＵ１１は、ＤＣＬ２０４を介して、第２子機６０から第２子機ＩＤ３２４を受信したか否かを判断する。受信していない場合（Ｓ１３７：ＮＯ）にはＳ１３７へ戻り待機し、受信した場合（Ｓ１３７：ＹＥＳ）にはＳ１４１へ進む。
【００４２】
Ｓ１４１において、ＣＰＵ１１は、ＭＦＰテーブルＴＢ４（図９）の使用フラグ３４０を、デフォルト領域３４５＝不使用、拡張領域３４６＝使用、に切り替える。これにより、第２子機６０の通信先がＭＦＰ１０からＢＯＸ３１へ変更される。
【００４３】
Ｓ１４３においてＣＰＵ１１は、第２子機６０から受信した第２子機ＩＤ３２４を、ＷＬＡＮ２０２を介して、ＢＯＸ３１へ送信する。Ｓ１４５において、ＣＰＵ１１は、ＭＦＰ１０の各種処理（例：プリンタ１９を用いた印刷処理など）を実行する。そしてＳ１１１（図３）へ戻る。
【００４４】
＜ＢＯＸ３１の動作＞
ＢＯＸ３１での動作を、図５のフローを用いて説明する。図５のフローは、ＢＯＸ３１に電源が投入されている期間中に、繰り返し実行されるフローである。Ｓ２１１において、ＣＰＵ３２は、ボタン入力部３８に備えられている確認ボタンが押下されたか否かを判断する。押下されていない場合（Ｓ２１１：ＮＯ）には、Ｓ２１１へ戻り待機する。一方、押下された場合（Ｓ２１１：ＹＥＳ）には、Ｓ１１７においてＭＦＰ１０のパネル１８に表示された押下指示に従って、ユーザが確認ボタンを押下したと判断され、Ｓ２１３へ進む。
【００４５】
Ｓ２１３において、ＣＰＵ３２は、ＭＦＰ１０へ接続要求を送信する。なお、接続要求はブロードキャストで送信されるとしてもよい。Ｓ２１５において、ＣＰＵ３２は、ＭＦＰ１０から送信（Ｓ１２５）されたＡＣＫ信号を受信したか否かを判断する。受信していない場合（Ｓ２１５：ＮＯ）には、Ｓ２１５へ戻り待機する。一方、受信した場合（Ｓ２１５：ＹＥＳ）には、ＭＦＰ１０とＢＯＸ３１との間のＷＬＡＮ２０２の通信が確立される。そしてＳ２１７へ進む。
【００４６】
Ｓ２１７においてＣＰＵ３２は、ＷＬＡＮ２０２を介して、ＭＦＰ１０へＢＯＸ−ＩＤ３３４を送信する。具体的には、ＢＯＸテーブルＴＢ３（図７）に記憶されているＢＯＸ−ＩＤ３３４（１２３４５６７８９０）を読み出した上で、送信する。
【００４７】
Ｓ２１９においてＣＰＵ３２は、ＷＬＡＮ２０２を介して、ＭＦＰ１０から第２子機ＩＤ３２４を受信したか否かを判断する。受信していない場合（Ｓ２１９：ＮＯ）にはＳ２１９へ戻り待機し、受信した場合（Ｓ２１９：ＹＥＳ）にはＳ２２１へ進む。Ｓ２２１において、ＣＰＵ３２は、受信した第２子機ＩＤ３２４を、ＢＯＸテーブルＴＢ３の拡張領域３３６に記憶する。本実施形態の説明例では、図７に示すように、拡張領域３３６内の子機ＩＤ番号３３１＝「６」の欄に、第２子機ＩＤ３２４（２２３４５６７８９１）が記憶される。Ｓ２２２において、ＣＰＵ３２は、拡張領域３３６に記憶されている子機ＩＤ３３２をＲＡＭ３４に展開する。これにより、ＢＯＸ３１の通信先として、第２子機６０が追加される。
【００４８】
Ｓ２２３において、ＣＰＵ３２は、ＢＯＸテーブルＴＢ３に記憶されているＢＯＸ−ＩＤ３３４と、ＢＯＸテーブルＴＢ３の拡張領域３３６に記憶されている全ての子機ＩＤ３３２を含むビーコンを、ＢＯＸ３１の周囲に位置する子機に対してブロードキャスト送信する。本実施形態の説明例では、ビーコンには、ＢＯＸ−ＩＤ３３４（１２３４５６７８９０）と、第１子機ＩＤ３１４（１２３４５６７８９１）および第２子機ＩＤ３２４（２２３４５６７８９１）とが含まれている。そしてフローが終了される。
【００４９】
＜第２子機６０の動作＞
第２子機６０での動作を、図６のフローを用いて説明する。図６のフローは、第２子機６０に電源が投入されている期間中に、繰り返し実行されるフローである。Ｓ３１１において、ＣＰＵ６２は、ＭＦＰ１０から送信（Ｓ１２７）された、接続処理の開始指示を受信したか否かを判断する。受信していない場合（Ｓ３１１：ＮＯ）にはＳ３１１へ戻り待機し、受信した場合（Ｓ３１１：ＹＥＳ）にはＳ３１３へ進む。
【００５０】
Ｓ３１３においてＣＰＵ６２は、ＭＦＰ１０から送信（Ｓ１３５）されたＢＯＸ−ＩＤ３３４を受信したか否かを判断する。受信していない場合（Ｓ３１３：ＮＯ）にはＳ３１３へ戻り待機し、受信した場合（Ｓ３１３：ＹＥＳ）にはＳ３１６へ進む。なお、Ｓ３１３においてＣＰＵ１１は、ＢＯＸ−ＩＤ３３４とともに、ＭＦＰテーブルＴＢ４のデフォルト領域３４５に記憶されている子機ＩＤ３４２およびＭＦＰ−ＩＤ３４４を受信する。
【００５１】
Ｓ３１６において、ＣＰＵ６２は、受信したＢＯＸ−ＩＤ３３４を、第２子機テーブルＴＢ２の拡張領域３２６に記憶する。本実施形態の説明例では、図１０に示すように、拡張領域３２６内の親機ＩＤ番号３２１＝「２」の欄に、ＢＯＸ−ＩＤ３３４（１２３４５６７８９０）が記憶される。
【００５２】
Ｓ３１７においてＣＰＵ６２は、ＤＣＬ２０４を介して、ＭＦＰ１０へ第２子機ＩＤ３２４を送信する。具体的には、第２子機テーブルＴＢ２（図１０）に記憶されている第２子機ＩＤ３２４（２２３４５６７８９１）を読み出した上で、送信する。
【００５３】
Ｓ３１９において、ＣＰＵ６２は、第２子機テーブルＴＢ２（図１０）の使用フラグ３２０を、デフォルト領域３２５＝不使用、拡張領域３２６＝使用、に切り替える。Ｓ３２１において、ＣＰＵ６２は、拡張領域３２６に記憶されている親機ＩＤ３２２を、ＲＡＭ６７に展開する。これにより、ＢＯＸ−ＩＤがＲＡＭ６７に展開され、第２子機６０の通信先がＭＦＰ１０からＢＯＸ３１へ変更される。すわなち、ＭＦＰ１０と第２子機６０との親子関係が解消され、新たにＢＯＸ３１と第２子機６０との親子関係が構築される。
【００５４】
Ｓ３２３においてＣＰＵ６２は、ＢＯＸ３１から送信（Ｓ２２３）されるビーコン信号を受信したか否かを判断する。受信していない場合（Ｓ３２３：ＮＯ）にはＳ３２３へ戻り、受信した場合（Ｓ３２３：ＹＥＳ）にはＳ３２７へ進む。Ｓ３２７において、ＣＰＵ６２は、ビーコン信号にＢＯＸ−ＩＤ３３４と第２子機ＩＤ３２４が含まれているか否かを判断する。具体的には、第２子機６０のＣＰＵ６２は、周りを飛び交っている電波を常に受信する。そして、第２子機６０と同じプロトコルの電波（ビーコン）を受信することで、ビーコンの送信元（親機）のＩＤと、親機の通信先として登録されている子機のＩＤを取得することができる。ＣＰＵ６２は、取得した親機のＩＤが、第２子機テーブルＴＢ２（図１０）の拡張領域３２６に記憶されている親機ＩＤ３２２と一致するかを判断する。また、取得した子機のＩＤが、自機のＩＤ（すなわち第２子機テーブルＴＢ２の第２子機ＩＤ３２４）と一致するかを判断する。ビーコン信号にＢＯＸ−ＩＤ３３４と第２子機ＩＤ３２４が含まれていない場合（Ｓ３２７：ＮＯ）にはＳ３２３へ戻り、含まれている場合（Ｓ３２７：ＹＥＳ）にはＳ３２９へ進む。
【００５５】
Ｓ３２９において、ＣＰＵ６２は、ＢＯＸ３１とＤＣＬ２０３回線の接続中である旨をＲＡＭ６７に記憶する。これにより、第２子機６０にリンクが張られた状態であることが記憶される。以降においては、ビーコンに含まれているホッピング情報（次に行くチャンネルに関する情報）に従ってホッピング動作を行うことで、リンクが維持される。これにより、第２子機６０は、ビーコンの出力元であるＢＯＸ３１の子機として動作する。この処理により、ＢＯＸ３１（親）と第２子機６０（子）との親子関係が構築される。そしてフローが終了される。
【００５６】
図１２を用いて、ＭＦＰシステム２の増設後（増設モード）における、通信システム１の構成および動作を説明する。図１２に示すように、ＢＯＸ３１とＭＦＰ１０とは、ＷＬＡＮ２０２によってデータ信号の通信が可能とされている。また、ＢＯＸ３１と第２子機６０とは、ＤＣＬ２０３によって音声信号の通信が可能とされている。
【００５７】
図１２に示す通信システム１では、ＢＯＸ３１およびＭＦＰ１０を備えることによって、物理的に分離した構成とされる。例えば、通信システム１でファクシミリ機能を実行する場合には、ＭＦＰ１０のスキャナ２０で生成されたＦＡＸデータが、ＢＯＸ３１を介して電話回線網１００へ送信される。また、ＢＯＸ３１が電話回線網１００から受信したＦＡＸデータが、ＭＦＰ１０へ転送され、プリンタ１９で印刷される。また、通信システム１で電話機能を実行する場合には、第２子機６０または第１子機６０ａと電話回線網１００との間の音声データの送受信が、ＢＯＸ３１を介して行なわれる。これにより、電話回線４７のモジュラー部にＭＦＰ１０を直接に接続する必要がないため、ＭＦＰ１０の配置場所のレイアウト性を高めることができ、ユーザの利便性を高めることができる。また第２子機６０では、ＤＣＬ２０３を用いて、ＢＯＸ３１と直接に音声データの通信を行うことができる。よって、ＭＦＰ１０を経由したＷＬＡＮ２０２によって、ＢＯＸ３１と音声データを通信することがないため、音声データのリアルタイム性を確保することが可能となる。
【００５８】
＜増設解除時の動作＞
次に、ＤＣＰシステム３にＭＦＰシステム２が増設されている通信システム１から、ＭＦＰシステム２を取り外す場合の動作を説明する。例として、図１２に示す増設モードの状態から、図１１に示す通常モードへ移行する場合の動作を説明する。
【００５９】
＜ＭＦＰ１０の動作＞
ＭＦＰ１０での動作を、図１３のフローを用いて説明する。Ｓ４１１において、ＣＰＵ１１は、ＭＦＰ１０が電話回線網１００またはＩＰ電話網（例：スカイプ（登録商標））に接続されているか否かを判断する。接続されていない場合（Ｓ４１１：ＮＯ）にはＳ４１１へ戻り待機し、接続されている場合（Ｓ４１１：ＹＥＳ）にはＳ４１３へ進む。Ｓ４１３においてＣＰＵ１１は、ＷＬＡＮ２０２を介して、通常モードへの復帰指示をＢＯＸ３１へ送信する。
【００６０】
Ｓ４１５において、ＣＰＵ１１は、ＭＦＰ１０との間でＤＣＬを用いた通信を復帰させる対象の子機が存在するか否かを判断する。具体的には、ＢＯＸ３１から、復帰対象の子機が存在する旨の報知（Ｓ５１７）を受信したか否かによって判断する。復帰対象の子機が存在しない場合（Ｓ４１５：ＮＯ）にはフローを終了し、存在する場合（Ｓ４１５：ＹＥＳ）にはＳ４１７へ進む。Ｓ４１７において、ＣＰＵ１１は、ＭＦＰテーブルＴＢ４（図９）の使用フラグ３４０を、デフォルト領域３４５＝使用、拡張領域３４６＝不使用、に切り替える。Ｓ４１９において、ＣＰＵ１１は、ＭＦＰテーブルＴＢ４のデフォルト領域３４５に記憶されている子機ＩＤ３４２を、ＲＡＭ１３に展開する。これにより、第２子機ＩＤがＲＡＭ１３に展開され、第２子機６０の通信先がＢＯＸ３１からＭＦＰ１０へ変更される。すわなち、ＢＯＸ３１と第２子機６０との親子関係が解消され、ＭＦＰ１０と第２子機６０との親子関係が復活する。
【００６１】
Ｓ４２１において、ＣＰＵ１１は、ＭＦＰテーブルＴＢ４に記憶されているＭＦＰ−ＩＤ３４４と、ＭＦＰテーブルＴＢ４のデフォルト領域３４５に記憶されている全ての子機ＩＤ３４２を含むビーコンを、ＭＦＰ１０の周囲に位置する子機に対して、ブロードキャスト送信する。そしてフローが終了される。
【００６２】
＜ＢＯＸ３１の動作＞
ＢＯＸ３１での動作を、図１４のフローを用いて説明する。Ｓ５１１において、ＣＰＵ３２は、ＭＦＰ１０から送信された復帰指示を受信したか否かを判断する。受信していない場合（Ｓ５１１：ＮＯ）にはＳ５１１へ戻り待機し、受信した場合（Ｓ５１１：ＹＥＳ）にはＳ５１３へ進む。Ｓ５１３において、ＣＰＵ３２は、ＢＯＸテーブルＴＢ３の拡張領域３３６に第２子機ＩＤが記憶されているか否かを判断する。具体的には、ＢＯＸテーブルＴＢ３の拡張領域３３６に記憶されている子機ＩＤ３３２のうち、デフォルト領域３３５に記憶されている子機ＩＤ３３２（第１子機ＩＤ）と異なる子機ＩＤ３３２（第２子機ＩＤ）が記憶されているか否かを判断する。記憶されていない場合（Ｓ５１３：ＮＯ）にはＳ５１５へ進み、復帰対象の子機が存在しない旨をＭＦＰ１０へ送信する。そしてフローを終了する。一方、記憶されている場合（Ｓ５１３：ＹＥＳ）にはＳ５１７へ進み、復帰対象の子機が存在する旨をＭＦＰ１０へ送信する。
【００６３】
Ｓ５１９においてＣＰＵ３２は、ＤＣＬ２０３を介して、第２子機６０へ変更指示を送信する。変更指示は、第２子機６０の通信先をＢＯＸ３１からＭＦＰ１０へ変更する旨の指示である。Ｓ５２１において、ＣＰＵ３２は、ＢＯＸテーブルＴＢ３（図７）の使用フラグ３３０を、デフォルト領域３２５＝使用、拡張領域３２６＝不使用、に切り替える。そして、ＣＰＵ３２は、ＢＯＸテーブルＴＢ３（図７）のデフォルト領域３２５に記憶されている子機ＩＤ３３２（第１子機ＩＤ）をＲＡＭ３４に展開する。これにより、ＢＯＸテーブルＴＢ３の拡張領域が初期化される。そしてフローを終了する。
【００６４】
＜第２子機６０の動作＞  
第２子機６０での動作を、図１５のフローを用いて説明する。Ｓ６１１においてＣＰＵ６２は、ＢＯＸ３１から送信（Ｓ５１９）された変更指示を、受信したか否かを判断する。受信していない場合（Ｓ６１１：ＮＯ）にはＳ６１１へ戻り待機し、受信した場合（Ｓ６１１：ＹＥＳ）にはＳ６１３へ進む。Ｓ６１３において、ＣＰＵ６２は、第２子機テーブルＴＢ２（図１０）の使用フラグ３２０を、デフォルト領域３２５＝使用、拡張領域３２６＝不使用、に切り替える。Ｓ６１５においてＣＰＵ６２は、デフォルト領域３２５に記憶されている親機ＩＤ３２２を、ＲＡＭ６７に展開する。これにより、ＭＦＰ−ＩＤがＲＡＭ６７に展開され、第２子機６０の通信先がＢＯＸ３１からＭＦＰ１０へ変更される。
【００６５】
Ｓ６１７において、ＣＰＵ６２は、ＭＦＰ１０から送信（Ｓ４２１）されるビーコン信号を受信したか否かを判断する。受信していない場合（Ｓ６１７：ＮＯ）にはＳ６１７へ戻り、受信した場合（Ｓ６１７：ＹＥＳ）にはＳ６２１へ進む。Ｓ６２１において、ＣＰＵ６２は、ビーコン信号にＭＦＰ−ＩＤ３４４と第２子機ＩＤ３２４が含まれているか否かを判断する。両ＩＤが含まれていない場合（Ｓ６２１：ＮＯ）にはＳ６１７へ戻り、含まれている場合（Ｓ６２１：ＹＥＳ）にはＳ６２３へ進む。Ｓ６２３において、ＣＰＵ６２は、ＭＦＰ１０とＤＣＬ２０４回線の接続中である旨をＲＡＭ６７に記憶する。これにより、ＭＦＰ１０（親）と第２子機６０（子）との親子関係が構築される。そしてフローが終了される。
【００６６】
＜効果＞
以上説明した、本実施形態の説明例に係る効果を説明する。本願では、ＭＦＰ１０によって、第２子機ＩＤをＢＯＸ３１へ送信することができる。また、ＭＦＰ１０によって、ＢＯＸ−ＩＤを第２子機６０へ送信することができる。すなわち、ＭＦＰ１０を介して、ＢＯＸ３１と第２子機６０との間でＩＤを交換することができる。これにより、交換したＩＤを用いて、ＢＯＸ３１と第２子機６０との間のＤＣＬを用いた通信を確立することができる。以上より、ＢＯＸ３１と第２子機６０との間で通信を行うために互いのＩＤを登録する登録処理を、容易に実行することが可能となる。
【００６７】
また本願では、ＭＦＰシステム２をＤＣＰシステム３と無線回線通信可能に接続する命令を受け付けることに応じて（Ｓ１１５）、ＢＯＸ３１と第２子機６０との間で通信を行うための登録処理を実行することができる。よって、ＭＦＰシステム２をＤＣＰシステム３に増設する処理を実行する際に、第２子機６０とＢＯＸ３１との間の通信を自動で確立することが可能となる。
【００６８】
また本願の第１子機テーブルＴＢ１、第２子機テーブルＴＢ２、ＢＯＸテーブルＴＢ３、ＭＦＰテーブルＴＢ４では、デフォルト領域と拡張領域とに、通信先を特定するためのＩＤを記憶させることができる。そして、通常モードではデフォルト領域に記憶されているＩＤで特定される機器を通信先に設定し、増設モードでは拡張領域に記憶されているＩＤで特定される機器を通信先に設定することができる。これにより、通常モードと増設モードとが切り替えられる場合においても、通信先を適切に識別することが可能となる。
【００６９】
また本願では、ＭＦＰ１０がＢＯＸ３１とは異なる通信先に接続されている場合に（Ｓ４１１：Ｙ）、通信先をＭＦＰ１０に復帰させる対象の第２子機６０が存在すると判断されることに応じて（Ｓ４１５：Ｙ）、ＭＦＰ１０と第２子機６０との間の通信を復帰させることができる。よって、第２子機６０がＭＦＰ１０を介して外部と通信することが可能となった場合には、第２子機６０とＭＦＰ１０との間の通信を自動で復帰させることが可能となる。
【００７０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００７１】
＜変形例＞
第１子機テーブルＴＢ１ないしＭＦＰテーブルＴＢ４の記憶内容は、本実施形態の例に限定されない。例えば、第１子機テーブルＴＢ１ないしＭＦＰテーブルＴＢ４の各々が、デフォルト領域のみを有しているとしてもよい。この場合、通常モード時の通信先機器を識別するためのＩＤを消去した上で、増設モードでの通信先機器を識別するＩＤを記憶させることにより、通常モードから増設モードへ移行することができる。そして、拡張領域を不要とすることができるため、第１子機テーブルＴＢ１ないしＭＦＰテーブルＴＢ４の記憶容量を小さくすることが可能となる。なお、この場合、通常モード時での通信先を識別するＩＤが消去されてしまうため、増設モードから通常モードへ戻す際には、通常モードでの通信先を再度設定する必要が生じることになる。
【００７２】
本実施形態では、ＤＣＰシステム３にＭＦＰシステム２を増設する場合を説明したが、この形態に限られない。例えば、ＤＣＰシステム３内のＤＣＰ１１０の代わりにＭＦＰシステム２を置換する場合についても、本願の技術を適用することが可能である。
【００７３】
また、ＤＣＰシステム３にＭＦＰシステム２が増設されている通信システム１（図１２）から、ＭＦＰシステム２を取り外した（図１１）後、ＭＦＰ１０における電話回線網１００又はＩＰ電話網への接続が切断された際に、再度、ＭＦＰシステム２がＤＣＰシステム３に増設される場合についても、本願の技術を適用することが可能である。
【００７４】
また、増設時や増設解除時において、ＭＦＰ１０とＢＯＸ３１との間で通信される情報は、本実施形態で説明した各種情報に限られない。例えば、拒否リスト２７や４２の登録内容を通信するとしてもよい。この場合、ＤＣＰシステム３にＭＦＰシステム２を増設する場合には、ＷＬＡＮ２０２を用いた通信の確立後の何れかの段階において、ＭＦＰ１０に記憶されている拒否リスト２７の登録内容をＢＯＸ３１へ送信し、ＢＯＸ３１の拒否リスト４２へ記憶させても良い。これにより、ＭＦＰ１０が備えている情報をＢＯＸ３１へミラーリングすることが可能となるため、ＢＯＸ３１において着信拒否動作を実行することが可能となる。
【００７５】
本実施形態では、図４において、ＭＦＰ１０は、ＢＯＸ３１からＢＯＸ−ＩＤ３３４を受信した（Ｓ１３１）後に、ＢＯＸ３１へ第２子機ＩＤ３２４を送信していた（Ｓ１４３）が、ＢＯＸ３１へ第２子機ＩＤ３２４を送信した後に、ＢＯＸ３１からＢＯＸ−ＩＤ３３４を受信してもよい。
【００７６】
Ｓ１３７（図４）において、ＭＦＰ１０が第２子機ＩＤ３２４を取得する方法は、第２子機６０から受信する方法に限られない。例えば、ＭＦＰテーブルＴＢ４（図９）に記憶されている第２子機ＩＤ３２４を読み出すことで取得してもよい。この場合、図４のフローにおいて、Ｓ１３７のステップを省略することも可能である。
【００７７】
本実施形態では、ＢＯＸテーブルＴＢ３（図７）の拡張領域３３６には、第１子機ＩＤ及び第２子機ＩＤが記憶されていた。しかしながら、拡張領域３３６には、第２子機ＩＤのみを記憶してもよい。係る場合、デフォルト領域３３５の使用フラグ３３０は常に「使用」と設定され、拡張領域３３６の使用フラグは、ＭＦＰシステム２において「使用」、ＤＣＰシステム３において「不使用」と設定される。また、係る場合、Ｓ５１３（図１４）において、ＣＰＵ３２は、ＢＯＸテーブルＴＢ３（図７）の拡張領域３３６に子機ＩＤ３３２が記憶されているか否かを判断すればよい。
【００７８】
また、ＢＯＸテーブルＴＢ３（図７）の拡張領域３３６に記憶される第１子機ＩＤ及び第２子機ＩＤの各々に対して、使用フラグ（使用／不使用）が設定されていてもよい。
【００７９】
Ｓ４１５（図１３）において、ＭＦＰ１０との間で通信を復帰させる対象の子機が存在するか否かを判断する方法は、ＢＯＸ３１から報知を受ける方法に限られない。例えば、ＭＦＰテーブルＴＢ４（図９）のデフォルト領域３４５に第２子機ＩＤが記憶されているか否かによって、当該判断を実行してもよい。この場合、図１４のフローにおいて、Ｓ５１３〜Ｓ５１７のステップを省略することも可能である。
【００８０】
ＢＯＸテーブルＴＢ３（図７）では、子機ＩＤ番号３３１の欄が「１」〜「８」の８個設けられる場合を説明したが、８個に限定されるものではない。ここで、デフォルト領域３３５には、少なくともＢＯＸ３１に増設可能な第１子機の数だけ子機ＩＤ番号３３１の欄を設け、拡張領域３３６には、ＢＯＸ３１に増設可能な第１子機及び第２子機の数だけ子機ＩＤ番号３３１の欄を設けるのが好適である。これにより、ＢＯＸ３１に増設可能な最大数の第１子機及び第２子機が増設された場合であっても、ＢＯＸテーブルＴＢ３に全ての子機ＩＤを記憶することができる。
【００８１】
本実施形態では、ＷＬＡＮ２０２がアドホックモードである場合を例として説明したが、この形態に限られない。ＷＬＡＮ２０２は他のモード（例：インフラストラクチャーモード）であってもよい。
【００８２】
請求項に記載の「多機能通信装置」の一例として、本実施形態ではＭＦＰ１０を説明したが、この態様に限られない。「多機能通信装置」は、ＷＬＡＮ通信およびＤＣＬ通信が可能な装置であればよく、様々な装置（例：ＰＣ（Personal Computer））であってよい。
【００８３】
なお、ＭＦＰ１０は多機能通信装置の一例である。ＢＯＸ３１は中継装置の一例である。第２子機６０は無線通信端末の一例である。第１子機６０ａは第１の無線通信端末の一例である。第２子機６０は第２の無線通信端末の一例である。ＭＦＰ１０および第２子機６０は通信装置の一例である。ＭＦＰ−ＩＤは多機能通信装置の登録情報の一例である。第２子機ＩＤは無線通信端末の登録情報の一例である。ＢＯＸ−ＩＤは中継装置の登録情報の一例である。ＥＥＰＲＯＭ１４は第１記憶部の一例である。ＥＥＰＲＯＭ６１は第２記憶部の一例である。ＥＥＰＲＯＭ３５は第３記憶部の一例である。ビーコンは信号の一例である。
【００８４】
また、Ｓ１２１を実行するＣＰＵは第１判断手段の一例である。Ｓ１４３を実行するＣＰＵは第１送信手段の一例である。Ｓ１４１を実行するＣＰＵは第１記憶制御手段の一例である。Ｓ１３１を実行するＣＰＵは第１受信手段の一例である。Ｓ１３５を実行するＣＰＵは第２送信手段の一例である。Ｓ３１３を実行するＣＰＵは第２受信手段の一例である。Ｓ３１６を実行するＣＰＵは第２記憶制御手段の一例である。Ｓ３２７を実行するＣＰＵは第２判断手段の一例である。Ｓ３２３を実行するＣＰＵは第３受信手段の一例である。Ｓ３２９を実行するＣＰＵは第３記憶制御手段の一例である。Ｓ３１７を実行するＣＰＵは第３送信手段の一例である。Ｓ４１１を実行するＣＰＵは第３判断手段の一例である。Ｓ４１５を実行するＣＰＵは第４判断手段の一例である。Ｓ４１７を実行するＣＰＵは第４記憶制御手段の一例である。Ｓ２１７を実行するＣＰＵは第４送信手段の一例である。Ｓ２１９を実行するＣＰＵは第４受信手段の一例である。Ｓ２２１を実行するＣＰＵは第５記憶制御手段の一例である。Ｓ２２３を実行するＣＰＵは第５送信手段の一例である。Ｓ５１３を実行するＣＰＵは第５判断手段の一例である。Ｓ５１１を実行するＣＰＵは復帰指示受信手段の一例である。Ｓ５１９を実行するＣＰＵは変更指示送信手段の一例である。Ｓ１３７を実行するＣＰＵは取得手段の一例である。Ｓ４１３を実行するＣＰＵは復帰指示送信手段の一例である。Ｓ４２１を実行するＣＰＵは信号送信手段の一例である。Ｓ６１１を実行するＣＰＵは変更指示受信手段の一例である。
【符号の説明】
【００８５】
１：通信システム、１０：ＭＦＰ、１８：パネル、１１および３２および６２：ＣＰＵ、１４および３５および６１：ＥＥＰＲＯＭ、３１：ＢＯＸ、４７：電話回線、６０：第２子機、６０ａ：第１子機
【図１】
0005445501.tif 000002
【図２】
0005445501.tif 000003
【図３】
0005445501.tif 000004
【図４】
0005445501.tif 000005
【図５】
0005445501.tif 000006
【図６】
0005445501.tif 000007
【図７】
0005445501.tif 000008
【図８】
0005445501.tif 000009
【図９】
0005445501.tif 000010
【図１０】
0005445501.tif 000011
【図１１】
0005445501.tif 000012
【図１２】
0005445501.tif 000013
【図１３】
0005445501.tif 000014
【図１４】
0005445501.tif 000015
【図１５】
0005445501.tif 000016